(57)【要約】【課題】静電型入力ペン１の軸筒５を傾斜させた状態で入力を行った場合においても、先端チップ２が、入力装置の操作領域に対して入力反応を示す接触面積になるまで、弾性変形することが可能となる静電型入力ペンを提供する。【解決手段】静電型入力ペン１が、軸筒５の前方に、略円筒形状で前端に半球状のドーム部を形成した導電性ゴムからなる先端チップ２と、前方部が先端チップ２の内方に収容された中子３とを有し、中子３の先端を軸筒５の前端より突出させ且つ中子３の前方に小径部３ｅを形成することにより、中子３の外側面と先端チップ２の内側面との間に間隙部Ｋを設ける。【選択図】図５
2013218593.tif 000002
【特許請求の範囲】
【請求項１】
操作領域を入力ペンや指によって操作し、前記操作領域の操作部分の位置を静電容量方式で検出する入力装置に用いる静電型入力ペンであって、前記静電型入力ペンが、軸筒の前方に、略円筒形状で前端に半球状のドーム部を形成した導電性ゴムからなる先端チップと、前方部が前記先端チップの内方に収容された中子とを有し、前記中子の先端を前記軸筒の前端より突出させ且つ該中子の前方に小径部を形成することにより、前記中子の外側面と前記先端チップの内側面との間に間隙部を形成したことを特徴とする静電型入力ペン。
【請求項２】
前記中子の小径部の後端を前記軸筒の前端より後方に位置させたことを特徴
とする請求項１に記載の静電型入力ペン。
【発明の詳細な説明】
【技術分野】
【０００１】
本発明は、操作領域を入力ペンの先端チップで触れることで、選択を行ったりカーソルの移動ができる静電容量方式の入力装置に用いられる静電型入力ペンに関したものである。
【背景技術】
【０００２】
従来、特許文献１に記載されるように導電性ゴムで構成された先端チップを軸筒の前方部に設けた静電型入力ペンが知られている。また最近では、特許文献２に記載されているように手で持って使用する薄形のタッチパネル形式の入力装置が市場で人気を得ており、指先で入力を行うだけでなく、筆記具のように軸筒を握って入力を行うことができる静電型入力ペンの需要も高くなっている。
【０００３】
ところで前記タッチパネル形式の入力装置の多くが、先端チップの接触面積が１６平方ミリメートル以上で入力反応が示されるようになっていることから、静電型入力ペンは、導電性ゴムからなる先端チップを弾性変形させることで接触面積を大きくして入力を行う構造が広く採用されている。尚、静電型入力ペンの多くは、先端チップが弾性変形し過ぎないようにする構造として、先端チップの内側に中子を配設してある。この中子の先端は軸筒の前端よりも突出させてあり、先端チップを入力装置の操作領域に当接させた際に、先端チップの内面を中子の前端が支持することで、先端チップに負担が掛かるほどの弾性変形が生じない構造になっている。
【先行技術文献】
【特許文献】
【０００４】
【特許文献１】特許第４１４２７７６号公報
【特許文献２】特開２０１１−８１８２５号公報
【発明の概要】
【発明が解決しようとする課題】
【０００５】
ところで、筆記具を傾斜させて紙面に筆記を行う人は、静電型入力ペンの軸筒も入力装置の操作領域に対して傾斜させて入力を行う傾向にあるが、前記した先端チップの内側に中子を配設した構造では、軸筒を傾斜させて入力を行うときに中子の前方が先端チップに当接してしまって、入力装置が入力反応を示すことが可能な接触面積まで先端チップが弾性変形できないという状態になる場合があった。
【０００６】
そこで本発明は、前記従来の問題点を解決するために、静電型入力ペンの軸筒を傾斜させた状態で入力を行った場合においても、先端チップが、入力装置の操作領域に対して入力反応を示す接触面積になるまで弾性変形することが可能となる静電型入力ペンを提供することを目的とする。
【課題を解決するための手段】
【０００７】
本発明は、
「１．操作領域を入力ペンや指によって操作し、前記操作領域の操作部分の位置を静電容量方式で検出する入力装置に用いる静電型入力ペンであって、前記静電型入力ペンが、軸筒の前方に、略円筒形状で前端に半球状のドーム部を形成した導電性ゴムからなる先端チップと、前方部が前記先端チップの内方に収容された中子とを有し、前記中子の先端を前記軸筒の前端より突出させ且つ該中子の前方に小径部を形成することにより、前記中子の外側面と前記先端チップの内側面との間に間隙部を形成したことを特徴とする静電型入力ペン。
２．前記中子の小径部の後端を前記軸筒の前端より後方に位置させたことを特徴とする１項に記載の静電型入力ペン。」である。
【０００８】
中子の前方に形成する小径部は、中子の外側面と先端チップの内側面との間に形成される間隙部によって、軸筒を傾斜させて入力を行う際に、先端チップの内面が中子の前方の外側面に当接しないようにするものであって、小径部の形状としては、段部を設けることで前方を全体的に細くする形状や、先端に向かうに従って徐々に前方を先細る円錐形状にしたりすることが可能である。中子の外側面と先端チップの内側面との間に形成される間隙部は、導電性ゴムからなる先端チップのゴム硬度や、略円筒形状の先端チップの径に応じて適宜設定すればよいが、静電型入力ペンの軸筒を傾斜させて操作領域に対して入力を行う際に、軸筒が操作領域に対して４５度傾斜した状態でも、先端チップの接触面積が１６平方ミリメートル以上となる寸法で設定することが好ましい。また中子は、静電型入力ペンの軸筒を傾斜させることなく操作領域に対して入力を行うときに、先端チップの内側面が中子の先端へ当接した際の先端チップの傷つきを防止するため、中子の先端を曲面形状で形成することが好ましい。尚、軸筒は、軸筒本体の前方に口金を装着した構成としてもよい。
【０００９】
また、中子の小径部の後端を軸筒の前端より後方に位置させる場合には、段部を設けることで中子の前方に小径部を形成する構成が好ましく、段部の位置を軸筒の前端より後方に位置させることで、中子の小径部の後端を軸筒の前端より後方に位置させることができる。
【発明の効果】
【００１０】
本発明の静電型入力ペンによれば、軸筒を傾斜させた状態で入力を行った場合においても、先端チップが入力装置の操作領域に対して入力反応を示す接触面積になるまで弾性変形できるものとなった。
【図面の簡単な説明】
【００１１】
【図１】図１は、本実施例の静電型入力ペンを示す図である。
【図２】図２は、図１の要部を示す断面図である。
【図３】図３は、本実施例の静電型入力ペンの軸筒を、入力装置の操作領域に対して垂直に立てて入力を行っている状態を示す図である。
【図４】図４は、図３の状態における先端チップと入力装置の操作領域との接触部を模式的に示す図である。
【図５】図５は、本実施例の静電型入力ペンの軸筒を、入力装置の操作領域に対して４５度傾けて入力を行っている状態を示す図である。
【図６】図６は、軸筒を４５度に傾けた状態で矢印Ｘ方向に横移動させている状態を示す図である。
【図７】図７は、比較例の静電型入力ペンの軸筒を、入力装置の操作領域に対して４５度傾けて入力を行っている状態を示す図である。
【図８】図８は、図７の状態における先端チップと入力装置の操作領域との接触部を模式的に示す図である。
【図９】図９は、比較例の静電型入力ペンの軸筒を、入力装置の操作領域に対して垂直状態から２０度傾けて入力を行っている状態を示す図である。
【発明を実施するための形態】
【００１２】
以下、図面を参照して本発明における静電型入力ペンの実施例について説明を行う。尚、説明を分かり易くするために、図面中の同様の部材、同様の部分については同じ番号を付してある。本実施例の説明においては先端チップ側を前方と表現し、その反対側を後方と表現する。
【００１３】
以下、図１及び図２を用いて本実施例の静電型入力ペンを説明する。静電型入力ペン１は、前方に半球状のドーム部２ａを形成した先端チップ２を、該先端チップ２の後方に形成した円筒状のストレート部２ｂに中子３の前方部３ａを嵌着させ、口金４に先端チップ２及び中子３を挿通させると共に、中子３の後方大径部３ｂに形成した凹部３ｃへ口金４の後方薄肉部４ａをカシメて形成したカシメ部４ｂにて固定してある。また、中子３の前方部３ａには段部３ｄを形成してあり、段部３ｄより前方を小径部３ｅとして、中子３の外側面と先端チップ２の内側面との間に間隙部Ｋが生じるようにしてある。また本実施例では、図に示す通り、中子３の先端を口金４の前端より突出させており、中子３の小径部３ｅの後端である段部３ｄを、口金４の前端より後方に位置させて、間隙部Ｋが軸筒５のに入り込むように形成してある。
【００１４】
本実施例では、口金４に形成した雄螺子部４ｃを、円筒形状の軸筒本体５０の前方に形成した雌螺子部５ａに螺合させて軸筒５を形成し、軸筒５の後方には樹脂製の尾栓６を挿着してある。本実施例では、先端チップ２がシリコンゴムに炭素粉末を混練した導電性シリコンゴムで形成してあり、中子３と口金４と軸筒本体５０とが真鍮で形成してあることから、軸筒５を把持した手と先端チップ２の前方のドーム部２ａまで導通することができる。尚、先端チップ２は、ＪＩＳ−Ｋ６２５３：２００６により求めたゴム硬度を２０の導電性シリコンゴムで形成してあり、半球状のドーム部２ａの厚みを０．７５ｍｍで形成してある。
【００１５】
次に、図３〜図６を用いて本実施例の静電型入力ペンで、操作領域を入力ペンや指によって操作し、操作領域の操作部分の位置を静電容量方式で検出する入力装置に操作を行った状態について説明を行う。図３では静電型入力ペン１の軸筒５が、入力装置の操作領域７に対して垂直に立った状態で入力を行っており、先端チップ２のドーム部２ａが入力面７ａに対して直径Ｌ１（５．０ｍｍ）で接触し、図４に示すように先端チップ２のドーム部２ａ（図２参照）が弾性変形して、円形状の接触面積Ｓ１（１９．６平方ミリメートル）で入力面７ａに接触することとなり、入力装置が入力反応を示すことができた。
【００１６】
また、図５では静電型入力ペン１の軸筒５を、入力装置の操作領域７に対して４５度傾けた状態で入力を行っているが、先端チップ２が、中子３の外側面と先端チップ２の内側面との間に形成されている間隙部Ｋ側の横方向へ弾性変形することができるので、先端チップ２のドーム部２ａが入力面７ａに対して直径Ｌ１（５．０ｍｍ）で接触し、図４で示した状態と同様に、先端チップ２のドーム部２ａが、円形状の接触面積Ｓ１（１９．６平方ミリメートル）で入力面７ａに接触することができた。
【００１７】
図６では、軸筒を４５度に傾けた状態で矢印Ｘ方向に横移動させており、先端チップ２がさらに横方向に弾性変形しているが、間隙部Ｋが軸筒５の内方に入り込むように形成してあるので、横移動による先端チップ２の変形量をさらに吸収することができ、先端チップ２のドーム部２ａが入力面７ａに対して直径Ｌ１（５．０ｍｍ）で接触した状態のまま、図４と同様の接触面積で入力装置に入力反応を示すことができた。
【００１８】
次に図７〜図９を用いて比較例についての説明を行う。図７に示すように、比較例の静電型入力ペン１０は、中子３０の前方部３０ａに小径部を形成しておらず、中子３０の外側面と先端チップ２の内側面とが隣接している点を除くと、前述の実施例と同様であるため他の点の説明は省略する。図６では静電型入力ペン１０の軸筒５を、入力装置の操作領域７に対して４５度傾けた状態で入力を行っているが、先端チップ２が、中子３０の前方部３０ａに当接することで、先端チップ２のドーム部２ａが入力面７ａに対して直径Ｌ２（４．０ｍｍ）で接触し、図８に示すように、先端チップ２のドーム部２ａ（図２参照）が円形状の接触面積Ｓ２（１２．６平方ミリメートル）で入力面７ａに接触することとなり、入力装置の入力反応が鈍った。尚、比較例の静電型入力ペン１０の入力反応を安定させるためには、図９に示すように、軸筒５が垂直状態から２０度傾く程度の傾斜角度までしか対応することができなかった。
【産業上の利用可能性】
【００１９】
本発明の静電型入力ペンは、筆記具を傾斜させて紙面に筆記を行う人に適しており、また入力装置を机上などで水平に置いて使うのではなく、手で持って傾けて使用するような状態のときにも適したものである。
【符号の説明】
【００２０】
１…静電型入力ペン、
２…先端チップ、２ａ…ドーム部、２ｂ…ストレート部、
３…中子、３ａ…前方部、３ｂ…後方大径部、３ｃ…凹部、３ｄ…段部、
３ｅ…小径部、
４…口金、４ａ…後方薄肉部、４ｂ…カシメ部、
５…軸筒、５ａ…雌螺子部、５０…軸部材、
６…尾栓、
７…操作領域、７ａ…入力面。
【図１】
2013218593.tif 000003
【図２】
2013218593.tif 000004
【図３】
2013218593.tif 000005
【図４】
2013218593.tif 000006
【図５】
2013218593.tif 000007
【図６】
2013218593.tif 000008
【図７】
2013218593.tif 000009
【図８】
2013218593.tif 000010
【図９】
2013218593.tif 000011